(57)【要約】【課題】映像信号を切り換えたとしても、明るく、色ズレや音声ズレ等が無く、高品質な映像を再生できるようにする。【解決手段】送信器２にて送信される映像信号は、マトリクススイッチャ装置３にて適宜切り換えられた上で受信器４にて受信され、映像表示装置５にて映像として再生されることとなる。送信器２からの信号伝送距離が長いと、映像信号が減衰したり信号全体のレベルが低下したりスキューが発生したりし、その度合い（調整値）は送信器２に応じて異なる。本発明によれば、ＩＤ情報（どの送信器から送信された映像信号であるかを示す情報）がＩＤ情報出力部６から受信器４に送信され、受信器４は、各送信器毎の調整値を記憶していて、該ＩＤ情報に基づいて必要な調整を行うように構成されている。これにより、明るく、色ズレや音声ズレ等が無く、高品質な映像を再生できることとなる。【選択図】図１
2010166120.tif 000002
【特許請求の範囲】
【請求項１】
複数の送信器から複数系統の映像信号が入力されると共に映像信号の切り換えを行えるように構成されたマトリクススイッチャ装置と、該マトリクススイッチャ装置にて切り換えられた映像信号を受信して再生できるようにする少なくとも１つの受信器と、を備えたＡＶシステムにおいて、
どの送信器から送信された映像信号であるかを示すＩＤ情報を該映像信号の伝送経路に出力するＩＤ情報出力部を備え、
前記受信器は、
ゲインを補償するためのゲイン調整値と、映像信号の減衰を補償するための高域調整値と、スキューを調整するためのスキュー調整値とを、各送信器について記憶するメモリ部と、
前記ＩＤ情報出力部からのＩＤ情報に基づいて前記メモリ部から必要なゲイン調整値を読み出してゲイン調整を行うゲイン調整部と、
前記ＩＤ情報出力部からのＩＤ情報に基づいて前記メモリ部から必要な高域調整値を読み出して高域調整を行う高域調整部と、
前記ＩＤ情報出力部からのＩＤ情報に基づいて前記メモリ部から必要なスキュー調整値を読み出してスキュー調整を行うスキュー調整部と、
を備えたことを特徴とするＡＶシステム。
【請求項２】
前記ＩＤ情報出力部は、前記マトリクススイッチャ装置内に設けられて、映像信号の切り換えの信号に基づきＩＤ情報を選択して出力するように構成された、
ことを特徴とする請求項１に記載のＡＶシステム。
【請求項３】
前記ＩＤ情報出力部は、前記送信器内に設けられて、前記マトリクススイッチャ装置の側に前記ＩＤ情報を出力するように構成された、
ことを特徴とする請求項１に記載のＡＶシステム。
【発明の詳細な説明】
【技術分野】
【０００１】
本発明は、複数の送信器からの複数系統の映像信号を適宜切り換えることのできるＡＶシステムに関する。
【背景技術】
【０００２】
近年、パソコン等の映像信号ソースを複数接続しておいて、適宜、必要な映像に切り換えることができるように構成されたＡＶシステムが提案されている（例えば、特許文献１）。
【０００３】
図７は、そのようなＡＶシステムの従来装置の一例を示すブロック図であり、図中の符号１０２は、不図示の映像信号ソースからの映像信号（例えば、ＲＧＢ信号）を送信する送信器を示し、符号１０３は、映像信号の切り換えを行うマトリクススイッチャ装置を示し、符号１０４は、該切り換えられた映像信号を受信する受信器を示し、符号１０５は、映像の再生を行う映像表示装置を示す。
【０００４】
ところで、上述の送信器１０２からマトリクススイッチャ装置１０３までの信号伝送距離が長いと、高周波の映像信号が減衰してしまって、映像品質が悪くなってしまうという問題があった。また、映像信号のレベル全体が低下してしまって、再生される映像が暗くなってしまうという問題もあった。さらに、信号線の長さの違いに基づく信号の遅延（スキュー）が発生して、映像に色ズレが起こったり、音声と映像のタイミングがずれてしまったりするという問題もあった。そこで、そのような信号の減衰等を補償する機能を付加した装置や、スキューを自動や手動で調整する機能を付加した装置が提案されている（例えば、特許文献２，３参照）。
【先行技術文献】
【特許文献】
【０００５】
【特許文献１】特開２００６−２６１７７８号公報
【特許文献２】特開２００７−２４１２３０号公報
【特許文献３】特開２００５−３３４０３号公報
【発明の概要】
【発明が解決しようとする課題】
【０００６】
しかしながら、上述のように送信器１０２を複数接続して映像信号を切り換えるようにしたシステムの場合は、信号の減衰等の補償やスキューの調整は、映像信号を切り換える度に行う必要があり、その調整作業が煩雑になってしまうという問題があった。
【０００７】
なお、信号の減衰等の補償やスキューの調整を映像信号切り換え時に自動的に行う方法としては、入力ポートの数と同じ数の補償回路をマトリクススイッチャ装置の内部に設けておいて、各入力ポートから入力される信号を補償する方法が考えられるが、多くの補償回路を必要とするので装置のコストが上昇してしまうという問題がある。また、別の方法としては、各送信器から各受信器に伝送する映像信号に調整信号を重畳しておいて、各受信器にて該調整信号に基づいた信号調整を行う方法が考えられるが、信号調整を行う回路が複雑となるために受信器のコストが上昇してしまうという問題や、重畳信号（つまり、調整信号を重畳させた映像信号）にノイズが乗ってしまうと信号調整が困難になってしまうという問題等がある。
【０００８】
本発明は、上述の問題を解消することができるＡＶシステムを提供することを目的とするものである。
【課題を解決するための手段】
【０００９】
請求項１に係る発明は、図１及び図２に例示するものであって、複数の送信器（２）から複数系統の映像信号が入力されると共に映像信号の切り換えを行えるように構成されたマトリクススイッチャ装置（３）と、該マトリクススイッチャ装置（３）にて切り換えられた映像信号を受信して再生できるようにする少なくとも１つの受信器（４）と、を備えたＡＶシステム（１）において、
どの送信器（２）から送信された映像信号であるかを示すＩＤ情報を該映像信号の伝送経路に出力するＩＤ情報出力部（６）を備え、
前記受信器（４）は、
ゲインを補償するためのゲイン調整値と、映像信号の減衰を補償するための高域調整値と、スキューを調整するためのスキュー調整値とを、各送信器（２）について記憶するメモリ部（４０）と、
前記ＩＤ情報出力部（６）からのＩＤ情報に基づいて前記メモリ部（４０）から必要なゲイン調整値を読み出してゲイン調整を行うゲイン調整部（４１）と、
前記ＩＤ情報出力部（６）からのＩＤ情報に基づいて前記メモリ部（４０）から必要な高域調整値を読み出して高域調整を行う高域調整部（４２）と、
前記ＩＤ情報出力部（６）からのＩＤ情報に基づいて前記メモリ部（４０）から必要なスキュー調整値を読み出してスキュー調整を行うスキュー調整部（４３）と、を備えたことを特徴とする。
【００１０】
請求項２に係る発明は、請求項１に係る発明において、前記ＩＤ情報出力部（６）は、前記マトリクススイッチャ装置（３）内に設けられて、映像信号の切り換えの信号に基づきＩＤ情報を選択して出力するように構成されたことを特徴とする。
【００１１】
請求項３に係る発明は、請求項１に係る発明において、前記ＩＤ情報出力部（６）は、前記送信器（２）内に設けられて（不図示）、前記マトリクススイッチャ装置（３）の側に前記ＩＤ情報を出力するように構成されたことを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１乃至３に係る発明によれば、ゲイン調整と高域調整とスキュー調整とが行われるので、明るく、色ズレや音声ズレ等が無く、高品質な映像を再生することが可能となる。また、上述のマトリクススイッチャ装置にて映像信号を切り換えても、各調整は自動で行われるので、操作が簡単になるという効果を有する。さらに、上述のゲイン調整値や高域調整値やスキュー調整値は、メモリ部に記憶された“固定値”であるため、安定した調整が可能となる。またさらに、マトリクススイッチャ装置に補償回路（入力ポートと同じ数の補償回路）を設けておく必要は無いので、コスト低減を図ることができる。
【図面の簡単な説明】
【００１４】
【図１】図１は、本発明に係るＡＶシステムの全体構成の一例を示すブロック図である。
【図２】図２は、受信器の構成の一例を示すブロック図である。
【図３】図３は、送信器の構成の一例を示すブロック図である。
【図４】図４(a) は、ゲイン調整信号（送信器側）の一例を示す波形図であり、同図(b) は、ゲイン調整信号（受信器側）の一例を示す波形図である。
【図５】図５(a) は、高域調整信号（送信器側）の一例を示す波形図であり、同図(b) は、高域調整信号（受信器側）の一例を示す波形図である。
【図６】図６(a) は、スキュー調整信号（送信器側）の一例を示す波形図であり、同図(b) は、スキュー調整信号（受信器側）の一例を示す波形図である。
【図７】図７は、そのようなＡＶシステムの従来装置の一例を示すブロック図である。
【発明を実施するための形態】
【００１５】
以下、図１乃至図６に沿って、本発明を実施するための形態について説明する。ここで、図１は、本発明に係るＡＶシステムの全体構成の一例を示すブロック図であり、図２は、受信器の構成の一例を示すブロック図であり、図３は、送信器の構成の一例を示すブロック図である。また、図４(a) は、ゲイン調整信号（送信器側）の一例を示す波形図であり、同図(b)
は、ゲイン調整信号（受信器側）の一例を示す波形図である。さらに、図５(a) は、高域調整信号（送信器側）の一例を示す波形図であり、同図(b) は、高域調整信号（受信器側）の一例を示す波形図である。またさらに、図６(a)
は、スキュー調整信号（送信器側）の一例を示す波形図であり、同図(b) は、スキュー調整信号（受信器側）の一例を示す波形図である。
【００１６】
本発明に係るＡＶシステムは、図１に符号１で例示するものであって、
・  複数の送信器２から複数系統の映像信号が入力されると共に映像信号の切り換えを行えるように構成されたマトリクススイッチャ装置３と、
・  該マトリクススイッチャ装置３にて切り換えられた映像信号を受信して再生できるようにする少なくとも１つの受信器４と、
を備えている。
【００１７】
具体的には、前記マトリクススイッチャ装置３は、送信器２を接続できる入力ポート３０を複数有していて、該複数の入力ポート３０，…に接続された複数の送信器２からは複数系統の映像信号が入力されるようになっている。また、該マトリクススイッチャ装置３は、受信器４を接続できる出力ポート３１を少なくとも１つ備えていて、これらの入力ポート３０，…と出力ポート３１との間には、該出力ポート３１から出力される映像信号を切り換えるための切り換えスイッチ部３２が介装されていて、受信器４へ送信する映像信号を必要に応じて切り換えられるように構成されている。なお、該受信器４には、液晶ディスプレイ等の映像表示装置５が接続できるようになっていて、いずれかの送信器２から送信された映像信号が、前記入力ポート３０→前記切り換えスイッチ部３２→前記出力ポート３１→前記受信器４→前記映像表示装置５の経路で送信され、該映像表示装置５において映像が再生されるようになっている。なお、本明細書におけるマトリクススイッチャ装置３は、出力ポート３１が１つのもの（一般に“セレクタ”と称されるもの）も含む概念である。
【００１８】
また、本発明に係るＡＶシステム１は、どの送信器２から送信された映像信号であるかを示すＩＤ情報を該映像信号の伝送経路に出力するＩＤ情報出力部６を備えている。
【００１９】
ところで、上述の送信器２からマトリクススイッチャ装置３までの信号伝送距離が長いと、信号のゲインが低下したり、映像信号が減衰したり、スキューの遅延が発生したりするおそれがあるが、それらの度合い（つまり、ゲインの低下度合いや、映像信号の減衰度合い等）は、送信器２からマトリクススイッチャ装置３までの伝送距離や、ケーブルの抵抗等に依存する。そこで、図２に詳示するように、前記受信器４に不揮発性のメモリ部４０を設けておき、
・  ゲインの補償するための値（以下、“ゲイン調整値”とする）
・  映像信号の減衰を補償するための値（以下、“高域調整値”とする）
・  スキューを調整するための値（以下、“スキュー調整値”とする）
を、それぞれの送信器について記憶させておく（つまり、各送信器についてのゲイン調整値や高域調整値やスキュー調整値を記憶させておく）。また、前記受信器４には、
・  前記ＩＤ情報出力部６からのＩＤ情報に基づいて前記メモリ部４０から必要なゲイン調整値を読み出してゲイン調整を行うゲイン調整部４１と、
・  前記ＩＤ情報出力部６からのＩＤ情報に基づいて前記メモリ部４０から必要な高域調整値を読み出して高域調整を行う高域調整部４２と、
・  前記ＩＤ情報出力部６からのＩＤ情報に基づいて前記メモリ部４０から必要なスキュー調整値を読み出してスキュー調整を行うスキュー調整部４３と、
を設けておく。本発明によれば、ゲイン調整と高域調整とスキュー調整とが行われるので、明るく、色ズレや音声ズレ等が無く、高品質な映像を再生することが可能となる。また、上述のマトリクススイッチャ装置３にて映像信号を切り換えても、各調整は自動で行われるので、操作が簡単になるという効果を有する。さらに、上述のゲイン調整値や高域調整値やスキュー調整値は、メモリ部に記憶された“固定値”であるため、安定した調整が可能となる。またさらに、マトリクススイッチャ装置に補償回路（入力ポートと同じ数の補償回路）を設けておく必要は無いので、コスト低減を図ることができる。
【００２０】
なお、上述のＩＤ情報出力部６はマトリクススイッチャ装置３内に設けておき、映像信号の切り換えの信号（例えば、押しボタンスイッチからの信号）に基づいてＩＤ情報を選択し、出力するような構成にすると良い。なお、該ＩＤ情報出力部６を、前記マトリクススイッチャ装置内ではなくそれぞれの送信器２内に設けておいて、前記マトリクススイッチャ装置３の側にＩＤ情報を出力するようにしておいても良い。
【００２１】
上述の送信器２としては、映像信号（例えば、ＲＧＢ信号）や、映像信号以外の信号（例えば、音声信号やＲＳ２３２Ｃ信号等）を送信するものを挙げることができる。そして、該送信器２と前記マトリクススイッチャ装置３（具体的には、上述の入力ポート３０，…）とは、図３に詳示するように、
・  映像信号を伝送するための複数の第１信号線７Ａ，７Ｂ，７Ｃと、
・  映像信号以外の信号を伝送する少なくとも１本の第２信号線７Ｄ
とにより接続しておくと良い。具体的には、カテゴリー５のツイストペアケーブルにより接続しておいて、３ペアの信号線（上述の第１信号線に該当）で映像信号を伝送するようにし、残りの１ペアの信号線（上述の第２信号線に該当）で音声信号やＲ２３２Ｃ信号を伝送するようにすると良い。
【００２２】
また、前記送信器２には、
・  ゲイン調整用のゲイン調整信号を少なくとも１本の前記第１信号線７Ａ，７Ｂ又は７Ｃに出力するゲイン調整信号出力部２０と、
・  高域補償用の調整信号を少なくとも１本の前記第１信号線７Ａ，７Ｂ又は７Ｃに出力する高域調整信号出力部２１と、
・  スキュー調整用のスキュー調整信号を全ての前記第１信号線７Ａ，７Ｂ，７Ｃに出力するスキュー調整信号出力部２２と、
・  これらの出力部２０，２１，２２を制御して、映像信号が伝送されていない間に各調整信号を出力させる出力タイミング制御部２３と、
・  どの調整信号が送信中であるかを示す識別信号を前記受信器４に対して出力する識別信号出力部２４と、
を設けておくと良く、この識別信号は、前記第２信号線４Ｄに対して出力するようにしておくと良い。
【００２３】
そして、上述のゲイン調整値や高域調整値やスキュー調整値は、映像信号を伝送しない段階で、次のような手順で求めるようにすると良い。
【００２４】
上述のゲイン調整信号は、例えば図４(a) に符号Ｖ１１で示すような一定電圧の信号（例えば、０．７Ｖの信号）にすると良い。いま、このゲイン調整信号Ｖ１１が、前記第１信号線７Ａ，７Ｂ又は７Ｃを伝送される際に電圧降下して０．３Ｖに低下したとする（同図(b)
の符号Ｖ１２参照）。同時に、前記識別信号出力部２４からは上述の識別信号が送信されているので、該受信器側のゲイン調整部４１は、該識別信号からゲイン調整信号送信中であることを検知し、ゲイン調整信号Ｖ１２のレベルの測定を行って電圧降下分ΔＶ（ゲイン調整値）を求める。そして、映像再生時には、映像信号のレベルをΔＶ分（例えば、０．３Ｖ）だけ引き上げて映像の再生を行う。これにより、再生映像の明るさを最適なものにすることができる。なお、上述のゲイン調整信号を全ての第１信号線７Ａ，７Ｂ及び７Ｃに伝送させるようにすると、断線の有無を知ることができる。
【００２５】
また、上述の高域補償用の調整信号としてはサイン波を挙げることができる。その場合、
・  一の周波数のサイン波を１本（又は複数本）の第１信号線７Ａ，７Ｂ又は７Ｃに伝送するようにしても、
・  異なる周波数の複数のサイン波を１本又は複数本の第１信号線７Ａ，７Ｂ又は７Ｃに伝送するようにしても、
どちらでも良い。そして、その調整信号の減衰を上述の高域調整部４２にて検知して高域調整値を求め、映像再生時の映像信号を補償してやると良い。なお、高域補償用の調整信号として、図５(a) に符号Ｖ２１で示すような矩形波を伝送するようにしても良い。該矩形波を長距離伝送した場合には、同図(b) に符号Ｖ２２で示すようにハッチング部が減衰した波形となるが、該波形から高域調整値を演算するようにしても良い。
【００２６】
さらに、上述のスキュー調整信号は、例えば図６(a) に符号Ｖ３１１，Ｖ３１２，Ｖ３１３で示すものであってパルス状のものとし、全ての前記第１信号線７Ａ，７Ｂ，７Ｃに同時に出力すると良い。このとき、前記識別信号出力部２４からは上述の識別信号が送信されているので、前記受信器側のスキュー調整部４３は、該識別信号からスキュー調整信号送信中であることを検知し、スキュー調整信号Ｖ３２１，Ｖ３２２，Ｖ３２３の位相ズレ量を求める（同図(b)
参照）。そして、映像再生時には、各映像信号の位相を該位相ズレ量だけずらし、同期を取る。これにより、映像を再生する場合における映像の色ズレや、音声と映像のタイミングズレを抑制することができる。
【符号の説明】
【００２７】
１            ＡＶシステム
２            送信器
３            マトリクススイッチャ装置
４            受信器
６            ＩＤ情報出力部
４０          メモリ部
４１          ゲイン調整部
４２          高域調整部
４３          スキュー調整部
【図１】
2010166120.tif 000003
【図２】
2010166120.tif 000004
【図３】
2010166120.tif 000005
【図４】
2010166120.tif 000006
【図５】
2010166120.tif 000007
【図６】
2010166120.tif 000008
【図７】
2010166120.tif 000009